(57)【要約】【課題】大容量記憶装置を備えたオーディオ再生装置において、電源オン時における音無し時間を短縮する。【解決手段】大容量記憶装置（ＨＤＤ）１１から読み取った音楽ファイルを不揮発性メモリ１６に保存し、該不揮発性メモリに記憶された音楽ファイルの音楽データに基づいて音楽を再生し、電源オフ時に次の電源オン時における再生開始位置を保存し、電源オン時に該保存した再生位置から不揮発性メモリに記憶されている音楽ファイルの再生を開始する。【選択図】    図１
2004348887.tif 000002
【特許請求の範囲】
【請求項１】
大容量記憶装置に記憶されている音楽ファイルを読み取って再生するオーディオ再生装置において、
大容量記憶装置から読み取った音楽ファイルを保存する不揮発性メモリ、
該不揮発性メモリに記憶された音楽ファイルの音楽データに基づいて音楽を再生するオーディオ回路、
電源オフ時に次の電源オン時における再生開始位置を保存し、電源オン時に前記保存した再生開始位置から不揮発性メモリに記憶されている音楽ファイルの再生を開始する制御部、
を備えたことを特徴とするオーディオ再生装置。
【発明の詳細な説明】
【０００１】
【発明の属する技術分野】
本発明は、オーディオ再生装置に係わり、特に、ハードディスク装置（ＨＤＤ）などの大容量記憶装置に記憶されている音楽ファイルを読み取って再生するオーディオ再生装置に関する。
【０００２】
【従来の技術】
ＭＰ３やＷＭＡ等の音声圧縮技術とハードディスク等の大容量記憶装置とを組み合せることで数千曲にもおよぶ音楽ライブラリーを構築し、その中から好きな曲を選んで演奏するカーステレオ装置が出てきている。
かかる大容量記憶装置は、曲毎の音楽ファイルをディレクトリ形式で保存している。図３は大容量記憶装置における簡単なファイル構造例であり、ルートディレクトリは１以上のＭＰ３音楽ファイル（図では３つのＭＰ３音楽ファイルＡＡＡ．ｍｐ３〜ＣＣＣ．ｍｐ３）と１以上（図では１つ）のディレクトリ（フォルダー）ＡＢＣで構成され、フォルダーＡＢＣは１つのサブフォルダーＥＦＧと複数のＭＰ３音楽ファイルＪＪＪ．ｍｐ３〜ＬＬＬ．ｍｐ３で構成され、サブフォルダーＥＦＧは複数のＭＰ３音楽ファイルＥＥＥ．ｍｐ３〜ＧＧＧ．ｍｐ３で構成されている。
【０００３】
大容量記憶装置におけるファイル構造は、ボリューム記述子を解析することにより求めることができ、解析によりたとえば図４に示すように、ＭＰ３音楽ファイル名に対応させてパス構成及びＭＰ３音楽ファイルの先頭アドレスが得られる。従って、図４の解析結果を用いることにより、任意のＭＰ３音楽ファイルを再生したり、フォルダーを指定することにより該フォルダーに所属する音楽ファイルのみのを再生をすることができる。
【０００４】
かかる大容量記憶装置を備えたオーディオ再生装置では、電源を入れてからサーボ系が安定してデータを読み出せるようになるまでには時間がかかる。また、電源を入れるたびに音楽ライブラリーのファイル構造を解析する必要があるため、この解析処理が終了するまで音楽を再生することができない。特に、ライブラリーが大きくなると解析に相当長い時間を要する。この結果、電源を入れてから音楽が再生されるまでに長い時間待たなくてはならないという問題がある。
【０００５】
従来技術として再生操作時点から再生音声出力開始までの待ち時間を解消する音響再生装置がある（特許文献１）。この音響再生装置では、データ読み出し手段によって記録媒体から高速度で読み出したデータをショックプルーフメモリ（記憶手段）に記憶し、これを低速度で読み出して再生音響信号として出力し、この動作を繰り替えことにより音楽を再生する。そして、再生動作停止操作がなされた際、制御手段は、その時点で記憶手段内に書込まれているデータを以降継続して保持するようにし、再生操作がなされたとき、記憶手段に保持されているデータから出力動作を開始し、これにより、再生操作時点から再生音声出力開始状態になるまでの音無し状態をなくす。
【特許文献１】特開平５−３１４６５５号公報
【０００６】
【発明が解決しようとする課題】
しかし、従来技術は再生操作時点から再生音声出力開始状態になるまでの音無し状態をなくすもので電源はオンし続けている。従って、電源オフから電源オンした時の待ち時間の解消、すなわち、音無し時間の解消に適用することはできない。
以上から本発明の目的は、大容量記憶装置を備えたオーディオ再生装置において、電源オフ→電源オン時における音無し時間を短縮することである。
【０００７】
【課題を解決するための手段】
本発明の実施態様においては、大容量記憶装置から読み取った音楽ファイルを不揮発性メモリに保存し、該不揮発性メモリに記憶された音楽ファイルの音楽データに基づいて音楽を再生し、電源オフ時に次の電源オン時における再生開始位置を保存し、電源オン時に前記保存した再生開始位置から不揮発性メモリに記憶されている音楽ファイルの再生を開始する。このようにすることにより、大容量記憶装置を備えたオーディオ再生装置において、電源オン時における音無し時間を短縮することができる。
【０００８】
【発明の実施の形態】
図１は本発明の大容量記憶装置を備えたオーディオ再生装置の構成図である。
ＣＰＵ  １１は入力部（操作部）１２からの情報を解析してハードディスク制御部（ＨＤＤ制御部）１３に指示を与えたり、ＨＤＤ制御部１３から得た情報を表示部１４に出力したりする。ハードディスク（ＨＤＤ）１５は、ＭＰ３やＷＭＡ形式で圧縮された音楽ファイルを図３で説明したディレクトリ構造で保存している。ＨＤＤ制御部１３はＣＰＵ  １１からの指示に従って所望の音楽ファイル（たとえばＭＰ３音楽ファイル）をハードディスク１５から読み取って不揮発性メモリ１６に保存すると共に、該音楽ファイルに含まれる音楽データを不揮発性メモリ１６から順番に呼び出してデコーダ１７に入力する。不揮発性メモリ１６はたとえば電池でバックアップしたスタティックＲＡＭである。デコーダ１７はＭＰ３やＷＭＡ形式で圧縮された音楽データをデコードしてＤＡ変換器１８に入力し、ＤＡ変換器１８は入力されたデジタルの音声データをアナログ信号に変換し、アンプ１９を介してスピーカ２０より音声出力する。
【０００９】
すなわち、ＨＤＤ制御部１３は、ＣＰＵ  １１から指示された音楽ファイルをハードディスク１５から読み出して不揮発性メモリ１６に保存し、該メモリ１６から音楽データを順番に読み出し、デコードして音楽を再生する。
かかる音楽再生中に、ＣＰＵ  １１は入力部１２での電源オフ操作を検出するとＨＤＤ制御部１３に電源オフ時の処理を指示する。ＨＤＤ制御部１３はこの指示を受けて、次の電源オン時における再生開始位置（次に再生すべき音楽データの位置）等の情報を不揮発性メモリ１６に保存する。その後、ＣＰＵ  １１はオーディオ再生装置の電源オフ処理を行い、オーディオ再生装置の電源をオフする。
【００１０】
その後、電源がオンになると、ＣＰＵ  １１は最後に再生した曲の続きを再生するようにＨＤＤ制御部１３に指示する。ＨＤＤ制御部１３はこの指示を受けて不揮発性メモリ１６より電源オン時の再生開始位置を読み取り、不揮発性メモリ１６に保存されている音楽ファイルの音楽データを該再生開始位置から順番に読み取って再生を開始する。そして、この再生動作と並行してハードディスクＨＤＤの起動とファイル構造の解析などの起動処理を行う。
【００１１】
図２は本発明の再生制御の処理フローである。
最初の電源オンにより（ステップ１０１）、ＨＤＤ制御部１３はＨＤＤの起動制御とファイル構造の解析処理を行い（ステップ１０２）、ファイル構造の解析処理が完了すれば（ステップ１０３）、ＣＰＵから指示されたＭＰ３音楽ファイルをハードディスク１５から読み出して不揮発性メモリ１６に記憶する（ステップ１０４）。ついで、不揮発性メモリ１６から順次音楽データを読み取って再生を開始し（ステップ１０５）、電源がオフになったかチェックする（ステップ１０６）。
電源がオフでなければ、曲の再生が完了したかチェックし（ステップ１０７）、完了しなければステップ１０５に飛び、再生を継続し、曲の再生が完了すれば、ステップ１０４に飛び、次のＭＰ３音楽ファイルをハードディスク１５から読み出して以降の処理を繰返す。
【００１２】
一方、ステップ１０６において、電源がオフになれば、次の電源オン時における再生開始位置を不揮発性メモリ１６に保存する（ステップ１０８）。ついで、電源がオンになったか監視し、（ステップ１０９）、電源がオンになれば、ＨＤＤ制御部１３は不揮発性メモリ１６より電源オン時の再生開始位置を読み取り、不揮発性メモリ１６に保存されている音楽ファイルの音楽データを該再生開始位置から読み取って再生を開始する（ステップ１１０）。そして、この再生動作と並行してＨＤＤの起動とファイル構造の解析などの起動処理を行い（ステップ１１１）、以後、ステップ１０７以降の処理を行う。
以上では大容量記憶装置としてハードディスクを使用した場合について説明したが、本発明はハードディスクに限ることはない。
【００１３】
【発明の効果】
以上本発明によれば、大容量記憶装置から読み取った音楽ファイルを不揮発性メモリに保存し、該不揮発性メモリに記憶された音楽ファイルの音楽データに基づいて音楽を再生し、電源オフ時に次の電源オン時における再生開始位置を保存し、電源オン時に前記保存した再生開始位置から不揮発性メモリに記憶されている音楽ファイルの再生を開始するようにしたから、大容量記憶装置を備えたカーステレオ装置などのオーディオ再生装置において、電源オン時における音無し時間を短縮することができる。
また、電源を入れるとすぐに最後に聞いていた曲の続きを再生することができ、この再生の間に起動時の処理を行うことで見かけ上、ハードディスクを付きカーステレオ装置の起動を早くすることができる。
【図面の簡単な説明】
【図１】本発明の大容量記憶装置を備えたオーディオ再生装置の構成図である。
【図２】本発明の再生制御の処理フローである。
【図３】大容量記憶装置におけるファイル構造例である。
【図４】ファイル構造解析結果説明図である。
【符号の説明】
１１  ＣＰＵ
１２  入力部（操作部）
１３  ＨＤＤ制御部
１４  表示部
１５  ハードディスク（ＨＤＤ）
１６  不揮発性メモリ
１７  デコーダ
１８  ＤＡ変換器
１９  アンプ１９
２０  スピーカ
【図１】
2004348887.tif 000003
【図２】
2004348887.tif 000004
【図３】
2004348887.tif 000005
【図４】
2004348887.tif 000006